(57)【特許請求の範囲】
【請求項１】
ネットワークを介して接続される、少なくとも獣医師に関連する獣医師端末と、動物患者を保有する飼主に関連する飼主端末と、前記獣医師端末と前記飼主端末とを仲介する健康管理支援装置と、を備える、健康管理支援システムであって、
前記健康管理支援装置は、
前記動物患者の電子カルテ情報を管理する電子カルテ管理部と、
前記獣医師から前記電子カルテ情報として少なくとも処方情報を含む対応情報の登録を受け付ける対応受付部と、
登録された前記対応情報に基づいてリマインド情報を生成するリマインド生成部と、
前記飼主端末に前記対応情報に関する対応を促すリマインド情報を送信するリマインド送信部と、
前記リマインド情報に対する前記飼主の対応完了情報を前記飼主端末から受信する対応情報受信部と、
前記対応情報受信部が前記対応完了情報を受信した場合に、前記動物患者に対する前記対応が完了した旨を前記獣医師端末に表示するために、対応完了通知を前記獣医師端末に送信する対応完了送信部と、を備え、
前記対応情報は、条件情報を含んでおり、
前記飼主端末は、前記条件情報に基づいて前記対応情報を表示して前記飼主に対応を促すものであって、
前記条件情報は前記動物患者の体温が所定温度以上であるか否かである、
健康管理支援システム。
【請求項２】
請求項１に記載の健康管理支援システムであって、
前記対応完了情報は、少なくとも前記飼主が前記対応情報に関連する対応を完了した日時情報を含んでおり、
前記健康管理支援装置は、前記電子カルテ情報に登録された前記対応情報と前記日時情報とを関連付けて記憶する、対応情報記憶部と、を備える、
健康管理支援システム。
【請求項３】
請求項１又は２に記載の健康管理支援システムであって、
前記リマインド送信部は、
前記リマインド情報を、前記ネットワーク上でカレンダー情報を共有するためのプロトコルに変換してから、前記飼主端末に対して送信する、
健康管理支援システム。
【請求項４】
請求項１乃至３のいずれかに記載の健康管理支援システムであって、
前記対応情報は、投薬に関する情報として薬名、薬のクラス名、規定服薬日時、規定服薬量を含み、
前記条件情報は、服薬に関する情報、目薬に関する情報および発熱に関する情報から選ばれる少なくともいずれかを含む、
健康管理支援システム。
【請求項５】
請求項１乃至４のいずれかに記載の健康管理支援システムであって、
前記対応情報は、リハビリ・飼育助言に関する情報を含む、
健康管理支援システム。
【請求項６】
請求項１乃至５のいずれかに記載の健康管理支援システムであって、
前記リマインド生成部は、電子カルテデータベースに入力された一の項目から、その項目に関連付けられた複数の前記リマインド情報を自動的に生成する、
健康管理支援システム。
【発明の詳細な説明】
【技術分野】
【０００１】
本開示は、健康管理支援システムに関する。
【背景技術】
【０００２】
従来、医療現場において、患者が医師の指示に従って通院又は薬の服用を行うことは、効果的な療養を行う上で非常に重要かつ不可欠なことである。それにも関わらず、患者個人の記憶に頼る部分が強いため、患者が通院又は薬の服用を忘れてしまいがちである。【０００３】
これを受けて、例えば、特許文献１には、患者の携帯端末に通院通知を通知する通知システムが提案されている。
【先行技術文献】
【特許文献】
【０００４】
【特許文献１】特開２０１７−１２３０６４号公報
【発明の概要】
【発明が解決しようとする課題】
【０００５】
当然のことながら、痒み・痛みなどの特定の症状を自覚した患者は、自らの意思で通院又は薬の服用を行い得る。しかしながら、患者が犬・猫などの動物患者の場合、通院又は薬の服用の要否についての判断が極めて難しい。なぜなら、動物患者は自らが感じている痛みなどを飼主等に言い表せないからである。従って、患者がヒトでない場合は、そもそも、特許文献１に開示された手法を適用する妥当性は低い。【０００６】
そこで、本開示は、このような状況に鑑みてなされたものであり、患者が犬・猫などの動物患者であっても、獣医師の指示に従った薬剤の服用を指定された時間帯に忘れずに実行可能な健康管理支援システムを提供することを目的の一つとする。
【課題を解決するための手段】
【０００７】
上記課題を解決するための本発明の主たる発明は、ネットワークを介して接続される、少なくとも獣医師に関連する獣医師端末と、動物患者を保有する飼主に関連する飼主端末と、前記獣医師端末と前記飼主端末とを仲介する健康管理支援装置と、を備える、健康管理支援システムであって、前記健康管理支援装置は、前記動物患者の電子カルテ情報を管理する電子カルテ管理部と、前記獣医師から前記電子カルテ情報として少なくとも処方情報を含む対応情報の登録を受け付ける対応受付部と、登録された前記対応情報に基づいてリマインド情報を生成するリマインド生成部と、前記飼主端末に前記対応情報に関する対応を促すリマインド情報を送信するリマインド送信部と、を備えることを特徴とする。
【発明の効果】
【０００８】
本開示によれば、患者が犬・猫などの動物患者であっても、獣医師の指示に従った薬剤の服用を指定された時間帯に忘れずに実行し得る。
【図面の簡単な説明】
【０００９】
【図１】本開示の第１の実施形態に係る健康管理支援システム１の構成例を示す図である。
【図２】本実施形態に係る健康管理支援装置１０を実現するコンピュータのハードウェア構成例を示す図である。
【図３】本実施形態に係る健康管理支援装置１０のソフトウェア構成例を示す図である。
【図４】本実施形態に係る電子カルテＤＢ１３１の一例を示す図である。
【図５】飼主基本情報の管理データ例を示す図である。
【図６】服薬情報のデータ項目例を示す図である。
【図７】処方情報のデータ項目例を示す図である。
【図８】本開示の第１の実施形態に係る健康管理支援方法を示す説明図である。
【発明を実施するための形態】
【００１０】
本開示の実施形態の内容を列記して説明する。本開示は、以下のような構成を備える。
［項目１］＜カルテに記載した対応情報（処方など）から自動でリマインダーを生成＞
ネットワークを介して接続される、少なくとも獣医師に関連する獣医師端末と、動物患者を保有する飼主に関連する飼主端末と、前記獣医師端末と前記飼主端末とを仲介する健康管理支援装置と、を備える、健康管理支援システムであって、
前記健康管理支援装置は、
前記動物患者の電子カルテ情報を管理する電子カルテ管理部と、
前記獣医師から前記電子カルテ情報として少なくとも処方情報を含む対応情報の登録を受け付ける対応受付部と、
登録された前記対応情報に基づいてリマインド情報を生成するリマインド生成部と、
前記飼主端末に前記対応情報に関する対応を促すリマインド情報を送信するリマインド送信部と、を備える、
健康管理支援システム。
［項目２］＜条件情報に基づいてリマインドを行う＞
項目１に記載の健康管理支援システムであって、
前記対応情報は、条件情報を含んでおり、
前記飼主端末は、前記条件情報に基づいて前記対応情報を表示して前記飼主に対応を促す、
健康管理支援システム。
［項目３］＜飼主からの対応完了を獣医師側にも伝える＞
項目１又は項目２に記載の健康管理支援システムであって、
前記健康管理支援装置は、
前記リマインド情報に対する前記飼主の対応完了情報を前記飼主端末から受信する対応情報受信部と、
前記対応情報受信部が前記対応完了情報を受信した場合に、前記動物患者に対する前記対応が完了した旨を前記獣医師端末に表示するために、対応完了通知を前記獣医師端末に送信する対応完了送信部と、を備える、
健康管理支援システム。
［項目４］＜対応を完了した日時情報も取得＞
項目３に記載の健康管理支援システムであって、
前記対応完了情報は、少なくとも前記飼主が前記対応情報に関連する対応を完了した日時情報を含んでおり、
前記健康管理支援装置は、前記電子カルテ情報に登録された前記対応情報と前記日時情報とを関連付けて記憶する、対応情報記憶部と、を備える、
健康管理支援システム。
［項目５］＜カレンダー等の外部連携機能＞
項目１乃至項目４の何れか一項に記載の健康管理支援システムであって、
前記リマインド送信部は、
前記リマインド情報を、前記ネットワーク上でカレンダー情報を共有するためのプロトコルに変換してから、前記飼主端末に対して送信する、
健康管理支援システム。
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
（実施形態１）
図１は、本開示の第１の実施形態に係る健康管理支援システム１の構成例を示す図である。健康管理支援システム１は、動物患者の健康管理を支援するシステムである。
【００１３】
図示するように、本実施形態に係る健康管理支援システム１は、健康管理支援装置１０を含んで構成される。健康管理支援装置１０は、獣医師端末２０及び飼主端末３０と、ネットワークＮＷを介して通信可能に接続されている。なお、本構成は一例であり、ある構成が他の構成を兼ね備えていたり、他の構成が含まれていたりしてもよい。
【００１４】
本実施形態においてネットワークＮＷはインターネットを想定している。ネットワークＮＷは、例えば、公衆電話回線網、携帯電話回線網、無線通信網、イーサネット（登録商標）などにより構築される。
【００１５】
健康管理支援装置１０は、動物患者の健康管理を支援するコンピュータである。健康管理支援装置１０は、例えば、動物病院により直接的に管理されてもよいし、動物病院を経営する組織の他、少なくとも一の動物病院に係る健康管理支援システム１を提供するサービサーにより管理されてもよい。健康管理支援装置１０は、例えば、ワークステーションまたはパーソナルコンピュータのような汎用コンピュータとしてもよいし、或いはクラウドコンピューティングによって論理的に実現されてもよい。
【００１６】
獣医師端末２０は、動物病院に勤務する獣医師Ｒ１が操作するコンピュータである。獣医師端末２０は、獣医師Ｒ１が所有し、又は動物医療機関より貸与されている。獣医師端末２０は、例えば、携帯電話、スマートフォン、タブレットコンピュータまたはパーソナルコンピュータ等であり得る。
【００１７】
飼主端末３０は、動物病院に通院する動物患者を保有する飼主Ｒ２が操作するコンピュータである。飼主端末３０は、例えば、携帯電話、スマートフォン、タブレットコンピュータまたはパーソナルコンピュータ等であり得る。
【００１８】
＜ハードウェア構成例＞
図２は、本実施形態に係る健康管理支援装置１０を実現するコンピュータのハードウェア構成例を示す図である。コンピュータは、少なくとも、制御部１１、メモリ１２、ストレージ１３、通信部１４および入出力部１５等を備える。これらはバス１６を通じて相互に電気的に接続される。
【００１９】
制御部１１は、健康管理支援装置１０全体の動作を制御し、各要素間におけるデータの送受信の制御、及びアプリケーションの実行及び認証処理に必要な情報処理等を行う演算装置である。例えば制御部１１は、ＣＰＵ等のプロセッサであり、ストレージ１３に格納されメモリ１２に展開されたプログラム等を実行して各情報処理を実施する。
【００２０】
メモリ１２は、ＤＲＡＭ等の揮発性記憶装置で構成される主記憶と、フラッシュメモリまたはＨＤＤ等の不揮発性記憶装置で構成される補助記憶と、を含む。メモリ１２は、制御部１１のワークエリア等として使用され、また、健康管理支援装置１０の起動時に実行されるＢＩＯＳ、及び各種設定情報等を格納する。
【００２１】
ストレージ１３は、アプリケーション・プログラム等の各種プログラムを格納する。各処理に用いられるデータを格納したデータベースがストレージ１３に構築されていてもよい。
【００２２】
通信部１４は、健康管理支援装置１０をネットワークに接続する。通信部１４は、例えば、有線ＬＡＮ、無線ＬＡＮ、Ｗｉ−Ｆｉ（登録商標）、赤外線通信、Ｂｌｕｅｔｏｏｔｈ（登録商標）、近距離または非接触通信等の方式で、外部機器と直接またはネットワークアクセスポイントを介して通信する。
【００２３】
入出力部１５は、例えば、キーボード、マウス、タッチパネル等の情報入力機器、及びディスプレイ等の出力機器である。
【００２４】
バス１６は、上記各要素に共通に接続され、例えば、アドレス信号、データ信号及び各種制御信号を伝達する。
【００２５】
本実施形態に係る獣医師端末２０及び飼主端末３０を実現するコンピュータ・スマートフォン等の端末のハードウェア構成は、図２に示す健康管理支援装置１０のハードウェア構成例と同様であるため、説明を省略する。
【００２６】
＜健康管理支援装置１０＞
図３は、本実施形態に係る健康管理支援装置１０のソフトウェア構成例を示す図である。健康管理支援装置１０は、電子カルテＤＢ１３１、電子カルテ管理部１１１、対応受付部１１２、リマインド生成部１１３、リマインド送信部１１４、対応情報受信部１１５、対応完了送信部１１６、対応情報記憶部１１７を備える。電子カルテ管理部１１１、対応受付部１１２、リマインド生成部１１３、リマインド送信部１１４、対応情報受信部１１５、対応完了送信部１１６は、制御部１１がストレージ１３に記憶されているプログラムをメモリ１２に読み出して実行することにより実現され得る。
【００２７】
電子カルテＤＢ１３１又は対応情報記憶部１１７は、メモリ１２およびストレージ１３が提供する記憶領域の一部として実現され得る。なお、電子カルテＤＢ１３１又は対応情報記憶部１１７は、健康管理支援装置１０以外の一または複数のサーバが提供する外部の記憶領域の一部として実現されてもよい。
【００２８】
電子カルテＤＢ１３１は、動物患者の電子カルテ情報を管理するためのデータベースである。図４は、本実施形態に係る電子カルテＤＢ１３１の一例を示す図である。図４に示すように、電子カルテ情報は、例えば、動物患者を一意に特定する識別子である動物患者ＩＤと関連づけて管理される。また、動物患者毎の電子カルテ情報は、受診日毎に管理される。
【００２９】
電子カルテ情報に含まれる項目には、図４に示すように、飼主基本情報、動物情報、問診情報、身体所見、病歴、検査情報、診断情報、服薬情報、処方情報、スケジュール情報、メモ、画像情報などがある。
【００３０】
図５は、飼主基本情報の管理データ例を示す図である。図５に示すように、飼主基本情報は、例えば、動物患者ＩＤ及び基本４情報（飼主Ｒ２の氏名、住所、性別、生年月日）を管理する。また、スケジュール情報（詳細は後述）を送信する際に必要となる飼主端末３０の宛先も保持する 。
【００３１】
動物情報には、当該動物患者が該当する動物種情報が含まれる。動物種情報の例としては、イヌ、キツネ、タヌキ、フェネック、ネコ、ハムスター、モルモット、ハツカネズミ、シマリス、タイワンリス、プレーリードッグ、モモンガ、ウサギ、サル、ミニブタ、フェレット、スカンク、ロバ、ウマ（ミニチュアホース、ファラベラ）、九官鳥、ジュウシマツ、セキセイインコ、オカメインコ、ワカケホンセイインコ、文鳥、鳩、ミズガメ、リクガメ、ヤモリ、トカゲ、ヘビ、ワニ、カエル、サンショウウオ、金魚、錦鯉、熱帯魚、エビ、カブトムシ、クワガタムシ、スズムシ、水生昆虫、カマキリ、クモ、サソリ、サソリモドキ、ウデムシ、ヒヨケムシ、ムカデ、ヤスデなどが例示されるがこの限りではない。更に、イヌにおいても、犬種（犬の品種）等の下位概念が存在し得る。動物情報は、診察カルテ情報、入院カルテ情報及び手術カルテ情報の全てに含まれうる。
【００３２】
問診情報は、飼主から取得する主観的な情報（主訴）である。例えば、「ご飯をあまり食べていない」「足に擦り傷ができている」「太ってきた」「元気がない」「鼻水が出ている」等であり、飼主が所有する動物を見たときに観察される症状である。問診情報は、動物病院に来院した際に問診表・問診用端末等を利用して飼主から取得することとしてもよいし、飼主が所有する携帯端末等で事前に入力してもらい取得することとしてもよい。入院時及び手術時においても問診は行われ、入院カルテ情報及び手術カルテ情報にも問診情報は含まれうる。
【００３３】
身体所見は、動物病院等において獣医師等が調べることができ、客観的な数値で表せる身体情報である。例えば「体重」「体温」「心拍」「呼吸数」等である。
【００３４】
病歴とは、獣医師等が聴取した主観的な情報である。病歴は、上述した問診情報と同一になる場合も多いが、例えば「喉が赤い」というように飼主だけでは実際に確認するのが困難な項目も含まれている。また、問診情報では「血尿が出ている」という情報が取得されたとしても、獣医師等によって診察したところ「肛門から出血している」という現病歴が聴取されることもある。
【００３５】
検査情報には、少なくとも当該動物患者が過去に受けた検査の内容を含んでいる。検査情報には、過去の通院、入院又は手術において受けたことのある検査の他、検診において受けたことのある検査などを含めることができる。その際に、検査に対する反応（嫌がったかどうか等、検査自体の受容性・許容性に関する情報）を関連付けて記憶することとしてもよい。
【００３６】
診断情報には、少なくとも当該動物患者が過去に受けた診断の履歴が含まれている。診断情報には、過去に罹患した具体的な疾患名又はケガ等の情報を含めることができる。診断情報には、過去の通院、入院又は手術において疑われた診断に関する情報を含めてもよい。
【００３７】
服薬情報には、当該動物患者が過去に受けた処置または投薬に関する情報を含んでいる。服薬情報には、処置または投薬に対する反応（嫌がったかどうか、体調に影響を来たしたか等、処置又は投薬自体の受容性・許容性に関する情報）を関連付けて記憶することとしてもよい。処置の内容としては、例えば、肛門腺処置、爪切処置、足裏処置、耳処置、毛抜き、眼科処置、歯科処置、エリザベスカラー・腹帯など、鍼灸処置、留置、便出し、抜糸、消毒、酸素処置、催吐処置、緊急蘇生処置、水抜き、強制給餌、洗浄、圧排、マッサージ、マイクロチップ、トリミング、カテーテル、リハビリ、手術、麻酔、入院、注射、輸血、点滴、検査、放射線治療、各種ドック、介護、衛生処置、シャンプー、しつけ、サプリメント、おやつ、避妊、去勢、ノミダニ駆除、狂犬病薬、ワクチン、フード、内用薬、点耳薬、点鼻薬、点眼薬、外用薬（軟膏・クリーム）、外用薬（消毒薬・スプレー）、外用薬、フィラリア予防などが例示できるがこの限りではない。
【００３８】
図６は、服薬情報のデータ項目例を示す図である。服薬情報は、例えば、図６に示すように、服薬すべき薬剤に関する薬剤名、形状、効能・効果、用法・用量、服薬上の注意事項、副作用・相互作用などの情報が、服薬情報に一意に付与された服薬ＩＤに対応づけて管理される。効能・効果、服薬上の注意事項、副作用・相互作用などについては、ＵＲＬなどのインターネット上に存在する情報へのリンク情報を追加してもよい。さらに、服薬情報は、患者が直接的又は間接的に入力する服薬結果情報も服薬ＩＤに対応づけて管理するようにしてもよい。図６に示す例では、ウルソ錠について「金/朝：ＮＧ」という服薬結果が示されており、これは金曜日の朝に服薬すべきウルソ錠を服薬しなかったことを意味している。
【００３９】
処方情報は、当該動物患者が過去に処方された薬剤等を含む。処方情報には、自宅にて処方された薬剤を服用できたか否か、嫌がったかどうか、体調に影響を来たしたか等、処置又は投薬自体の受容性・許容性に関する情報を飼主の携帯端末を介して取得して追加するようにしてもよい。
【００４０】
図７は、処方情報のデータ項目例を示す図である。処方情報は、図７に示すように、服薬ＩＤ、飼主ＩＤ及び服薬スケジュールごとに一意に付与された服薬スケジュールＩＤを保持すると共に、服薬スケジュールごとに一意に付与された服薬スケジュールＩＤ、服薬期間及びリマインド設定対象薬剤の組み合わせを対応づけて管理する。
【００４１】
スケジュール情報は、服薬スケジュールに一意に付与された服薬スケジュールＩＤに、少なくとも動物患者が薬剤を服薬した時刻及び曜日を含む服薬状況情報を紐づけて記憶する。スケジュール情報は、例えば、服薬期間分の日にち、服薬時間帯、服薬時刻、薬剤名、用量、動物患者に対するリマインドを発出するか否かを示すリマインド設定を対応付けた服薬スケジュール情報を保持する。
【００４２】
メモは、診察、入院又は手術の担当医、担当看護師、担当事務などにより入力されたテキストデータである。画像情報は、動物患者の様子を撮影した画像である。画像情報は、静止画像であっても動画像であってもよい。
【００４３】
電子カルテ管理部１１１は、動物患者の電子カルテ情報を管理する機能を有する。例えば、電子カルテ管理部１１１は、通信部１４を介して獣医師端末２０から新たに取得したスケジュール情報（服薬期間分の日にち、服薬時間帯、服薬時刻など）を電子カルテＤＢ１３１内の項目「スケジュール情報」に反映する。
【００４４】
対応受付部１１２は、獣医師Ｒ１から電子カルテ情報として少なくとも処方情報を含む対応情報の登録を受け付ける機能を有する。対応情報の種類には、例えば、薬名、薬のクラス名、規定服薬日時、規定服薬量等の投薬に関する情報のみならず、リハビリ・飼育助言に関する情報が含まれる。リハビリに関する情報には、例えば、動物患者を歩かせるための歩行訓練に関する情報（足をズルズル引きずって歩いたり、足がカクッと折れたりしてしまうナックリングを患ったイヌの歩行訓練に関する情報など）、動物患者を運動させる訓練に関する情報、病気・ケガを負ってしまった動物患者の運動能力の回復行為全般、訓練・トレーニングに関する情報が含まれ得る。飼育助言に関する情報には、例えば、動物患者の飼育環境指導に関する情報が含まれ得る。動物患者の飼育環境指導には、室温管理に関する助言、水換えに関する助言、トイレシート換えに関する助言、餌やりに関する助言、床材に関する助言（砂なのかチップなのか等）が含まれ得る。なお、獣医師Ｒ１の助言による指導を受けた飼主Ｒ２に対して、所定期間（例えば２週間）経過後の時点で、「飼育環境に変化がありましたか？」というリマインドが行われても良い。
【００４５】
リマインド生成部１１３は、対応受付部１１２が登録を受け付けた対応情報に基づいてリマインド情報を生成する機能を有する。より具体的に、リマインド生成部１１３は、電子カルテＤＢ１３１に入力された一の項目から、その項目に関連付けられた複数のリマインド情報を自動的に生成する。例えば、対応情報が「脚のケガのためのリハビリ」であった場合、これに関連するリマインド情報として、「筋肉をほぐす」「ストレッチを行う」「ゆっくり歩かせる」の３つのリマインド情報が生成され得る。
【００４６】
リマインド送信部１１４は、飼主端末３０に対応情報に関する対応を促すリマインド情報を送信する機能を有する。対応情報は、条件情報を含んでおり、飼主端末３０は、条件情報に基づいて対応情報を飼主端末３０の画面に表示して飼主Ｒ２に対応を促す。具体的には、例えば、下記の条件１〜３に示すような処方・助言の内容にリマインドに関する条件情報が設定され、その条件を満足した場合に、リマインド情報が飼主端末３０に送信される。
（条件１）「朝、昼、夜の各期間」、「期間ごとの服薬回数」、「一回当たりの服薬量」
（条件２）「全量」「目薬など」「一回適量を患部に」「１日１回程度の頻度で点眼したかどうか」
（条件３）「３８度５分以上の発熱あり」「５回分処方」「発熱温度がある温度を超えてないか」
【００４７】
対応情報受信部１１５は、リマインド情報に対する飼主Ｒ２の対応完了情報を飼主端末３０から受信する機能を有する。
【００４８】
対応完了送信部１１６は、対応情報受信部１１５が対応完了情報を受信した場合に、動物患者に対する対応が完了した旨を獣医師端末２０に表示するために、対応完了通知を獣医師端末２０に送信する機能を有する。
【００４９】
対応情報記憶部１１７は、電子カルテ情報に登録された対応情報と日時情報とを関連付けて記憶する機能を有する。
【００５０】
＜処理の流れ＞
次に、図８を参照しながら、本実施形態の健康管理支援システム１が実行する処理の流れについて説明する。図８は、本開示の第１の実施形態に係る健康管理支援方法を示す説明図である。この例では、本フローチャートの開始前に、獣医師端末２０及び飼主端末３０は健康管理支援システム１にログインしているものとする。
【００５１】
まず、ステップＳＱ１の処理として、獣医師Ｒ１は、獣医師端末２０を介して、健康管理支援装置１０の電子カルテＤＢ１３１に対応情報を登録する。健康管理支援装置１０の対応受付部１１２は、獣医師Ｒ１から対応情報の登録を受け付ける。
【００５２】
次に、ステップＳＱ２の処理として、健康管理支援装置１０のリマインド生成部１１３は、対応受付部１１２が登録を受け付けた対応情報に基づいてリマインド情報を生成する。
【００５３】
次に、ステップＳＱ３の処理として、健康管理支援装置１０のリマインド送信部１１４は、対応情報に関する対応を促すリマインド情報を飼主端末３０に送信する。このとき、リマインド送信部１１４は、リマインド情報を、ネットワークＮＷ上でカレンダー情報を共有するための所定のプロトコルに変換してから、飼主端末３０に対して送信しても良い。
【００５４】
次に、ステップＳＱ４の処理として、飼主端末３０の画面にリマインド情報が表示される。これにより、飼主端末３０を操作する飼主Ｒ２は、リマインド情報を視認することができる。
【００５５】
次に、ステップＳＱ５の処理として、飼主Ｒ２は、飼主端末３０を介して、リマインド情報に対する対応完了情報を健康管理支援装置１０に送信する。健康管理支援装置１０の対応情報受信部１１５は、対応完了情報を飼主端末３０から受信する。
【００５６】
次に、ステップＳＱ６の処理として、対応完了送信部１１６は、動物患者に対する対応が完了した旨を獣医師端末２０に表示するために、対応完了通知を獣医師端末２０に送信する。
【００５７】
当然のことながら、痒み・痛みなどの特定の症状を自覚した患者は、自らの意思で通院又は薬の服用を行い得る。しかしながら、患者が犬・猫などの動物患者の場合、通院又は薬の服用の要否についての判断が極めて難しい。なぜなら、動物患者は自らが感じている痛みなどを飼主等に言い表せないからである。従って、患者がヒトでない場合は、そもそも、従来の手法を適用する妥当性は低い。
【００５８】
この点、本実施形態に係る健康管理支援システム１によれば、動物患者に対するリマインドを発出するか否かを示すリマインド設定を電子カルテＤＢ１３１に連動させることができるので、患者が犬・猫などの動物患者であっても、獣医師の指示に従った薬剤の服用を指定された時間帯に忘れずに実行することができる。
【００５９】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００６０】
なお、上述した実施形態では、リマインド送信部１１４は、飼主端末３０の画面にリマインド表示を行う例を示した。しかし、リマインドの通知形式はこれに限らない。例えば、ビープ音・ステップ音などの音、振動、音声などを利用して服薬を促しても良い。
【００６１】
本明細書において説明した装置は、単独の装置として実現されてもよく、一部または全部がネットワークで接続された複数の装置（例えばクラウドサーバ）等により実現されてもよい。例えば、健康管理支援装置１０の制御部１１およびストレージ１３は、互いにネットワークで接続された異なるサーバにより実現されてもよい。
【００６２】
本明細書において説明した装置による一連の処理は、ソフトウェア、ハードウェア、及びソフトウェアとハードウェアとの組合せのいずれを用いて実現されてもよい。本実施形態に係る健康管理支援装置１０の各機能を実現するためのコンピュータプログラムを作製し、ＰＣ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【００６３】
また、本明細書においてフローチャート図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【００６４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【符号の説明】
【００６５】
１        健康管理支援システム
１０      健康管理支援装置
２０      獣医師端末
３０      飼主端末
１１１    電子カルテ管理部
１１２    対応受付部
１１３    リマインド生成部
１１４    リマインド送信部
１１５    対応情報受信部
１１６    対応完了送信部
１１７    対応情報記憶部
１３１    電子カルテＤＢ
【要約】
【課題】患者が犬・猫などの動物患者であっても、獣医師の指示に従った薬剤の服用を指定された時間帯に忘れずに実行可能な健康管理支援システムを提供すること。
【解決手段】本開示の健康管理支援システムは、ネットワークを介して接続される、少なくとも獣医師に関連する獣医師端末と、動物患者を保有する飼主に関連する飼主端末と、前記獣医師端末と前記飼主端末とを仲介する健康管理支援装置と、を備える、健康管理支援システムであって、前記健康管理支援装置は、前記動物患者の電子カルテ情報を管理する電子カルテ管理部と、前記獣医師から前記電子カルテ情報として少なくとも処方情報を含む対応情報の登録を受け付ける対応受付部と、登録された前記対応情報に基づいてリマインド情報を生成するリマインド生成部と、前記飼主端末に前記対応情報に関する対応を促すリマインド情報を送信するリマインド送信部と、を備える。
【選択図】図１【図１】
0006964379.tif 000002
【図２】
0006964379.tif 000003
【図３】
0006964379.tif 000004
【図４】
0006964379.tif 000005
【図５】
0006964379.tif 000006
【図６】
0006964379.tif 000007
【図７】
0006964379.tif 000008
【図８】
0006964379.tif 000009